(57)【要約】【課題】施工現場での作業を容易にすることのできる照明器具を提供する。【解決手段】照明器具１は、光源ユニット１００と、第一ユニット７００と、スイッチを有する第二ユニット（制御ユニット４００）と、を備える。第一ユニット７００は、光源ユニット１００の少なくとも一部と、第二ユニットの少なくとも一部とを収納する収納空間を有する。光源ユニット１００は、第一ユニット７００から取り外し可能である。スイッチは、収納空間に配置される。スイッチは、光源ユニット１００が第一ユニット７００から取り外された状態で操作可能である。【選択図】図２
2019207763.tif 000002
【特許請求の範囲】
【請求項１】
光源ユニットと、
第一ユニットと、
スイッチを有する第二ユニットと、
を備え、
前記第一ユニットは、前記光源ユニットの少なくとも一部と、前記第二ユニットの少なくとも一部とを収納する収納空間を有し、
前記光源ユニットは、前記第一ユニットから取り外し可能であり、
前記スイッチは、前記収納空間に配置され、前記光源ユニットが前記第一ユニットから取り外された状態で操作可能である照明器具。
【請求項２】
前記第一ユニットは、凹部を有し、
前記収納空間は、前記凹部の内側の第一収納空間と、前記凹部の外側の第二収納空間とを含み、
前記光源ユニットの少なくとも一部が前記第一収納空間に収納され、
前記第二ユニットの少なくとも一部が前記第二収納空間に収納されている請求項１に記載の照明器具。
【請求項３】
前記第二ユニットは、前記スイッチの操作部の位置と、当該位置に対応した情報とが表示された表示部を有する請求項１または請求項２に記載の照明器具。
【請求項４】
前記操作部の色と、前記表示部のうち前記操作部の位置を示す部分の色とが異なる請求項３に記載の照明器具。
【請求項５】
前記スイッチは、操作部を左右方向にスライドさせることにより切り替わるものであり、
前記操作部をスライドさせることにより前記照明器具の特定のパラメータを切り替え可能であり、
前記操作部を左から右へ向かってスライドさせると前記パラメータが大きくなる請求項１から請求項４のいずれか一項に記載の照明器具。
【請求項６】
前記スイッチは、操作部を左右方向にスライドさせることにより切り替わるものであり、
前記操作部をスライドさせることにより前記照明器具の特定の機能のオンオフを切り替え可能であり、
前記操作部を左から右へ向かってスライドさせると前記機能がオフからオンになる請求項１から請求項４のいずれか一項に記載の照明器具。
【請求項７】
前記第二ユニットは、複数の前記スイッチを備え、
前記複数の前記スイッチの各々の操作部は、互いに異なる形状または寸法を有する請求項１から請求項６のいずれか一項に記載の照明器具。
【発明の詳細な説明】
【技術分野】
【０００１】
本発明は、照明器具に関する。
【背景技術】
【０００２】
下記特許文献１には、建物の避難経路となる階段の踊り場の壁面に設置される照明器具である階段通路誘導灯が開示されている。この照明器具は、人検知センサと制御ユニットとを有する。商用電源から電力が供給されている通常時には、階段を利用する人の有無に応じて常用光源の点灯を行う。商用電源から電力供給が停止された非常時には、蓄電池から電力供給を受けて非常用光源を点灯させる。
【先行技術文献】
【特許文献】
【０００３】
【特許文献１】特開２０１７−１９５０６６号公報
【発明の概要】
【発明が解決しようとする課題】
【０００４】
階段通路誘導灯のような照明器具には、建物側に設置された自動火災報知設備からの信号を伝える電線が接続される場合がある。その場合、自動火災報知設備からの信号に応じて、光源の点灯制御をすることができる。従来の照明器具では、自動火災報知設備からの信号により光源の点灯制御をするためには、内部の配線を取り外すなどの作業が必要となり、作業工数が多いという課題がある。
【０００５】
本発明は、上述のような課題を解決するためになされたもので、施工現場での作業を容易にすることのできる照明器具を提供することを目的とする。
【課題を解決するための手段】
【０００６】
本発明に係る照明器具は、光源ユニットと、第一ユニットと、スイッチを有する第二ユニットと、を備え、第一ユニットは、光源ユニットの少なくとも一部と、第二ユニットの少なくとも一部とを収納する収納空間を有し、光源ユニットは、第一ユニットから取り外し可能であり、スイッチは、収納空間に配置され、光源ユニットが第一ユニットから取り外された状態で操作可能であるものである。
【発明の効果】
【０００７】
本発明によれば、施工現場での作業を容易にすることが可能となる。
【図面の簡単な説明】
【０００８】
【図１】実施の形態１による照明器具を示す斜視図である。
【図２】実施の形態１による照明器具の第一ユニットから光源ユニットを取り外した状態を示す斜視図である。
【図３】実施の形態１による照明器具の分解斜視図である。
【図４】実施の形態１による照明器具の一部の構成を示すブロック図である。
【図５】実施の形態１による制御ユニットの一部の構成を示すブロック図である。
【図６】実施の形態１による制御ユニットの正面図である。
【図７】実施の形態１による制御ユニットの平面図である。
【図８】実施の形態１による制御ユニットの左側面図である。
【図９】実施の形態１による制御ユニットの右側面図である。
【図１０】実施の形態１による制御ユニットを正面側から見た斜視図である。
【図１１】実施の形態１による制御ユニットを背面側から見た斜視図である。
【図１２】実施の形態１による制御ユニットの分解斜視図である。
【図１３】実施の形態１による制御ユニットの第二筐体から第一筐体を取り外した状態を示す斜視図である。
【図１４】実施の形態１による照明器具を、照明器具の長手方向に垂直な平面で切断した断面図である。
【図１５】実施の形態１による照明器具の器具本体に対して化粧部を取り付ける前の状態を示す断面図である。
【図１６】実施の形態２による照明器具の一部を示す斜視図である。
【図１７】実施の形態２による照明器具の一部を示す斜視図である。
【図１８】実施の形態２による照明器具の一部を示す斜視図である。
【発明を実施するための形態】
【０００９】
以下、図面を参照して実施の形態について説明する。各図において共通または対応する要素には、同一の符号を付して、重複する説明を簡略化または省略する。
【００１０】
実施の形態１．
図１は、実施の形態１による照明器具１を示す斜視図である。本実施の形態の照明器具１は、例えば、建物の避難経路となる階段の踊り場の壁面または天井面に設置される階段通路誘導灯のような、非常用照明器具として用いることに適する。図１に示すように、照明器具１は、光源ユニット１００と、化粧部２００と、器具本体３００と、制御ユニット４００と、非常光源部５００と、点検部６００とを備える。光源ユニット１００は、第一光源に相当する。非常光源部５００は、第二光源に相当する。光源ユニット１００及び非常光源部５００は、例えば発光ダイオードのような半導体光源を備えたものでもよい。
【００１１】
本実施の形態の照明器具１は、全体として細長い形状を有する。光源ユニット１００、化粧部２００、器具本体３００の各々は、照明器具１の長手方向に沿って延びる細長い形状を有する。典型的には、照明器具１は、その長手方向が水平になる姿勢で設置される。制御ユニット４００は、照明器具１の長手方向の中央部分に配置されている。非常光源部５００は、照明器具１の長手方向の一端に近い位置と、他端に近い位置との二箇所にそれぞれ配置されている。点検部６００は、非常時に要求される機能を照明器具１が維持しているかどうかを点検するときに操作される点検スイッチを有する。典型的には、化粧部２００及び器具本体３００は、金属製である。
【００１２】
第一ユニット７００は、化粧部２００及び器具本体３００を含むユニットである。制御ユニット４００は、第二ユニットに相当する。第一ユニット７００は、光源ユニット１００の少なくとも一部と、制御ユニット４００の少なくとも一部とを収納する収納空間を有する。第一ユニット７００は、照明器具１の本体に相当する。光源ユニット１００は、第一ユニット７００から取り外し可能である。図２は、実施の形態１による照明器具１の第一ユニット７００から光源ユニット１００を取り外した状態を示す斜視図である。
【００１３】
図２に示すように、第一ユニット７００は、取付凹部２１０と、凹部連通開口２１１と、バネ２２１と、引っ掛け部２２２とを有する。取付凹部２１０は、第一ユニット７００の正面を向く開口を有する凹部である。取付凹部２１０は、第一ユニット７００の長手方向に沿って延びる細長い形状を有する。取付凹部２１０は、化粧部２００により形成されている。光源ユニット１００が第一ユニット７００に取り付けられると、光源ユニット１００の少なくとも一部が取付凹部２１０の内側の空間に収納される。
【００１４】
凹部連通開口２１１は、取付凹部２１０の底部に形成された開口である。取付凹部２１０に光源ユニット１００が取り付けられると、凹部連通開口２１１が光源ユニット１００によって塞がれる。
【００１５】
バネ２２１及び引っ掛け部２２２により、光源ユニット１００を取付凹部２１０に対して固定可能である。バネ２２１は、取付凹部２１０の底部に設置されている。バネ２２１は、取付凹部２１０の長手方向の一端に近い位置にある。引っ掛け部２２２は、取付凹部２１０の長手方向の他端に形成されている。光源ユニット１００は、バネ２２１及び引っ掛け部２２２に係合する係合部（図示省略）を有する。工具を用いることなく手作業によって光源ユニット１００を取付凹部２１０に対して着脱できるように構成されていてもよい。
【００１６】
化粧部２００は、照明器具１の外装の一部を形成する部材である。すなわち、化粧部２００は、照明器具１のうち、外から見える部分を形成する。化粧部２００は、器具本体３００に取り付けられている。化粧部２００は、傾斜部２１４と、傾斜部２１４に形成された開口２１２とを有する。開口２１２の形状は、長方形である。本実施の形態であれば、化粧部２００を備えたことで、照明器具１の外観を良好にする上で有利になる。
【００１７】
制御ユニット４００は、筐体部４１０と、筐体部４１０から突出する突出部４２０とを備える。筐体部４１０の少なくとも一部は、器具本体３００と化粧部２００との間に位置する。突出部４２０は、筐体部４１０から開口２１２を通って化粧部２００の外側へ突出している。筐体部４１０及び突出部４２０は、樹脂材料で作られていることが望ましい。突出部４２０は、筐体部４１０と一体的に形成されている。
【００１８】
図３は、実施の形態１による照明器具１の分解斜視図である。図３に示す状態は、図２に示す状態に対して、化粧部２００を器具本体３００から取り外した状態に相当する。図３に示すように、器具本体３００には、化粧部取付台１１０が設置されている。化粧部２００を化粧部取付台１１０に対してネジにより締結することで、化粧部２００を器具本体３００に対して固定することができる。
【００１９】
制御ユニット４００及び点検部６００が器具本体３００に取り付けられている。器具本体３００には、非常用制御ユニット１２０と、電源端子台１３１と、信号端子台１３２と、蓄電池１４０とがさらに設置されている。電源端子台１３１には、例えばＡＣ１００Ｖの商用電源が接続される。電源端子台１３１に入力された商用電源の電力は、図示しない電線を介して、光源ユニット１００と非常用制御ユニット１２０とにそれぞれ供給される。蓄電池１４０は、商用電源の停電時に非常光源部５００を点灯させるためのエネルギーを蓄える。非常用制御ユニット１２０は、電源端子台１３１から供給される商用電源の電力により蓄電池１４０を充電するための充電回路、非常時に蓄電池１４０から供給される電力により非常光源部５００を点灯させるための点灯回路、制御回路などを備える。
【００２０】
非常光源部５００は、化粧部２００の傾斜部２１４に配置されている。傾斜部２１４には、点検部６００の表面を露出させるための開口２１３が形成されている。信号線１５０は、非常用制御ユニット１２０と点検部６００との間をつなぐ。電線１６０の一端は、制御ユニット４００に接続されている。図３では図示を省略しているが、電線１６０の他端は、光源ユニット１００に接続されている。
【００２１】
図４は、実施の形態１による照明器具１の一部の構成を示すブロック図である。図４に示すように、光源ユニット１００は、光源部１０１と、光源部１０１を点灯させる点灯制御装置１０２とを備える。点灯制御装置１０２は、電源端子台１３１から供給される商用電源の電力から、光源部１０１を点灯させるための直流電力を生成する点灯回路と、光源部１０１の点灯状態を制御する制御回路などを備える。
【００２２】
制御ユニット４００は、電線１６０を介して、光源ユニット１００の点灯制御装置１０２に接続されている。制御ユニット４００は、点灯制御装置１０２を介して、光源部１０１の点灯状態を制御する。点灯制御装置１０２は、制御ユニット４００からの制御信号に応じて、光源部１０１の点灯状態を制御する。制御ユニット４００は、制御回路を有する制御基板４０１と、センサモジュール４０２と、信号入力部４０３と、制御ユニット４００の外部から手動で操作可能なスイッチ４３１とを備える。信号入力部４０３は、器具本体３００に設置された信号端子台１３２に対して、電線１７０を介して接続されている。
【００２３】
本実施の形態におけるセンサモジュール４０２は、検知範囲内に人が存在するか否かを検知する人感センサに相当する。本実施の形態におけるセンサモジュール４０２は、例えばマイクロ波のような電波を発信及び受信する電波センサに相当する。センサモジュール４０２は、検知範囲内へ電波を発信する。電波は、検知範囲内にある物体で反射する。センサモジュール４０２は、その反射波を受信する。電波を反射させた物体が移動していた場合、発信した電波と受信した電波との間に、物体の移動速度に応じた周波数の変化が生じる。センサモジュール４０２によれば、この送信波と反射波との周波数差を利用して、人を検知できる。すなわち、センサモジュール４０２によれば、ドップラー効果を用いて、人を検知できる。
【００２４】
センサモジュール４０２は、照明器具１の外部の空間からの信号を受信する信号受信部に相当する。センサモジュール４０２は、検知範囲内にある物体で反射した電波を、外部空間からの信号として受信する。
【００２５】
図４に示す例では、誘導灯用信号装置９００が照明器具１に接続されている。誘導灯用信号装置９００からの信号を伝達する電線９１０が信号端子台１３２に接続されている。誘導灯用信号装置９００には、例えばＡＣ１００Ｖの商用電源が接続されている。誘導灯用信号装置９００は、自動火災報知設備９２０に接続されている。本実施の形態における誘導灯用信号装置９００は、照明器具１の外部に設けられた信号送付部に相当する。制御ユニット４００の信号入力部４０３は、電線１７０、信号端子台１３２、及び電線９１０を介して、誘導灯用信号装置９００に接続されている。
【００２６】
図４に示す例では、制御ユニット４００は、自火報連動信号を誘導灯用信号装置９００から受信する。自火報連動信号は、自動火災報知設備９２０に連動する信号である。常時の自火報連動信号は、ＡＣ１００Ｖの信号である。例えば火災発生時のような非常時の自火報連動信号は、０Ｖの信号である。
【００２７】
図４に示す例のように、制御ユニット４００の信号入力部４０３が、電線１７０、信号端子台１３２、及び電線９１０を介して、誘導灯用信号装置９００に接続されており、信号入力部４０３の信号に応じて制御ユニット４００が光源部１０１の点灯状態を制御するモードを「第一のモード」と称する。
【００２８】
第一のモードでは、以下のようになる。ＡＣ１００Ｖの自火報連動信号が信号入力部４０３に入力される常時においては、制御ユニット４００は、センサモジュール４０２の信号に応じて光源部１０１の点灯状態を制御する。この常時において、制御ユニット４００は、例えば、センサモジュール４０２が人を検知したときに光源部１０１を全光点灯させ、センサモジュール４０２が人を検知しないときに光源部１０１を減光または消灯させてもよい。このように、第一のモードにおいて、センサモジュール４０２の信号に応じて光源部１０１の点灯状態が制御される状態を「第一状態」と称する。これに対し、信号入力部４０３に入力される自火報連動信号が０Ｖとなる非常時においては、制御ユニット４００は、センサモジュール４０２が人を検知しているか否かに関わらず、予め定められた調光率により光源部１０１の点灯状態を制御する。この非常時において、制御ユニット４００は、例えば、センサモジュール４０２が人を検知しているか否かに関わらず、光源部１０１を強制的に全光点灯させてもよい。このように、第一のモードにおいて、センサモジュール４０２の信号に関わらず、予め定められた調光率により光源部１０１の点灯状態が制御される状態を「第二状態」と称する。第一のモードは、信号入力部４０３が誘導灯用信号装置９００に対して接続されており、誘導灯用信号装置９００からの信号に応じて第一状態及び第二状態が制御ユニット４００により切り替えられるモードに相当する。
【００２９】
照明器具１を誘導灯用信号装置９００のような信号送付部に接続せずに照明器具１を使用することもできる。この場合、信号入力部４０３に自火報連動信号が入力されないので、信号入力部４０３の信号は常に０Ｖになる。照明器具１が誘導灯用信号装置９００に接続されない場合には、制御ユニット４００は、「第二のモード」の制御を行う。第二のモードは、信号入力部４０３が誘導灯用信号装置９００に対して接続されておらず、センサモジュール４０２の信号に応じて制御ユニット４００が光源部１０１の点灯状態を制御するモードである。第二のモードにおいて、制御ユニット４００は、例えば、センサモジュール４０２が人を検知したときに光源部１０１を全光点灯させ、センサモジュール４０２が人を検知しないときに光源部１０１を減光または消灯させてもよい。
【００３０】
図５は、実施の形態１による制御ユニット４００の一部の構成を示すブロック図である。図５に示すように、制御ユニット４００は、マイコン４０４、レギュレータ４０５、ホトカプラ４０６、及び信号出力端子４０７を備える。マイコン４０４は、制御基板４０１に設けられている。ホトカプラ４０６の例えば発光ダイオードのような発光素子は、信号入力部４０３に接続されている。照明器具１が誘導灯用信号装置９００に接続されている場合には、自火報連動信号がホトカプラ４０６の発光素子に入力される。スイッチ４３１と、ホトカプラ４０６の例えばホトトランジスタのような受光素子とは、マイコン４０４と信号出力端子４０７とをつなぐ回路に接続されている。スイッチ４３１は、ホトカプラ４０６の受光素子と並列に接続されている。信号出力端子４０７は、電線１６０を介して、光源ユニット１００に接続される。
【００３１】
本実施の形態では、第一のモードと第二のモードとをスイッチ４３１により切り替え可能である。図５に示すように、スイッチ４３１をオフにすると、第一のモードになる。第一のモードでは、以下のようになる。ＡＣ１００Ｖの自火報連動信号が信号入力部４０３に入力される常時においては、ホトカプラ４０６の発光素子が発光してホトカプラ４０６の受光素子がオンすることにより、センサモジュール４０２により検知された人有無信号が信号出力端子４０７を介して光源ユニット１００へ伝達される。この場合、センサモジュール４０２により検知された人有無信号に応じて光源部１０１の点灯状態が制御される第一状態となる。これに対し、信号入力部４０３の自火報連動信号が０Ｖとなる非常時においては、ホトカプラ４０６の発光素子が発光せず、ホトカプラ４０６の受光素子がオフする。その結果、センサモジュール４０２により検知された人有無信号が光源ユニット１００へ伝達されなくなる。この場合、センサモジュール４０２の信号に関わらず、予め定められた調光率により光源部１０１の点灯状態が制御される第二状態となる。
【００３２】
一方、スイッチ４３１をオンにすると、第二のモードになる。第二のモードでは、以下のようになる。信号入力部４０３の信号に関わらず、センサモジュール４０２により検知された人有無信号がスイッチ４３１を介して光源ユニット１００へ伝達される。これにより、信号入力部４０３の信号に関わらず、センサモジュール４０２の信号に応じて光源部１０１の点灯状態が制御される。
【００３３】
本実施の形態であれば、スイッチ４３１を操作するだけで第一のモードと第二のモードとを切り替え可能であり、例えば制御ユニット４００内部の配線を取り外したりするような作業が不要である。このため、照明器具１を施工するときに、誘導灯用信号装置９００に接続されるか否かに応じて、第一のモードと第二のモードとを簡単な作業で切り替えることができる。よって、照明器具１の施工作業が容易になる。
【００３４】
本実施の形態では、点灯制御装置１０２が備える直流電源１０３により生成された直流電力が、電線１６０を介して、制御ユニット４００に供給される。この直流電力は、レギュレータ４０５を介して、マイコン４０４に入力される。このように、本実施の形態の制御ユニット４００は、光源ユニット１００の点灯制御装置１０２から電力供給を受けることにより動作する。これにより、以下のような利点がある。制御ユニット４００に電力供給するためのＡＣ／ＤＣ変換回路が不要になる。制御ユニット４００の端子及び配線の数を少なくすることができる。電力の変換ロスを低減できる。
【００３５】
図６は、実施の形態１による制御ユニット４００の正面図である。図７は、実施の形態１による制御ユニット４００の平面図である。図８は、実施の形態１による制御ユニット４００の左側面図である。図９は、実施の形態１による制御ユニット４００の右側面図である。図１０は、実施の形態１による制御ユニット４００を正面側から見た斜視図である。図１１は、実施の形態１による制御ユニット４００を背面側から見た斜視図である。図１２は、実施の形態１による制御ユニット４００の分解斜視図である。図１３は、実施の形態１による制御ユニット４００の第二筐体４１２から第一筐体４１１を取り外した状態を示す斜視図である。
【００３６】
図６から図１１に示すように、制御ユニット４００の筐体部４１０は、第一筐体４１１及び第二筐体４１２により形成されている。図１２に示すように、第二筐体４１２から第一筐体４１１を取り外し可能である。第一筐体４１１は、主として筐体部４１０の正面側の部分を形成する。第二筐体４１２は、主として筐体部４１０の背面側の部分を形成する。筐体部４１０は、制御基板４０１と、センサモジュール４０２の一部とを収納する中空部を有する。
【００３７】
本実施の形態における制御ユニット４００は、スイッチ４３２，４３３，４３４をさらに備える。スイッチ４３１，４３２，４３３，４３４の各々は、制御基板４０１に実装されている。これにより、構造を簡素化できる。スイッチ４３１，４３２，４３３，４３４の各々は、スライドスイッチにより構成されている。スライドスイッチは安価であるので、コストの低減に有利になる。スイッチ４３１，４３２，４３３，４３４は、それぞれ、操作部４３１ａ，４３２ａ，４３３ａ，４３４ａを備える。操作部４３１ａ，４３２ａ，４３３ａ，４３４ａをスライドさせると、スイッチ４３１，４３２，４３３，４３４が切り替わる。
【００３８】
制御基板４０１には、信号入力部４０３と、電線接続部４０８とが設けられている。電線接続部４０８に電線１６０が接続される。信号入力部４０３に電線１７０が接続される。
【００３９】
センサモジュール４０２は、信号線４０９を介して制御基板４０１に接続される。第一筐体４１１に、突出部４２０、鍔部４４０、開口４４１、及び開口４４２が形成されている。鍔部４４０は、突出部４２０の根元から外周側へ庇のように出ている面を形成している。開口４４１は、信号入力部４０３を露出させるための開口である。開口４４２は、電線接続部４０８を露出させるための開口である。
【００４０】
第二筐体４１２に、台座部４４３及び背面貫通穴４４４が形成されている。台座部４４３に、溝状の信号線保持部４４５と、切欠き状のスライド部４４６とが形成されている。図１３に示すように、センサモジュール４０２は、台座部４４３により支持される。信号線４０９は、信号線保持部４４５により保持される。制御基板４０１は、スライド部４４６の内側に挿通されている。制御基板４０１を第一筐体４１１に取り付ける際には、スライド部４４６に対して制御基板４０１を上方向または横方向からスライドさせることにより、適正な取り付け位置に制御基板４０１を容易に組み付けることができる。
【００４１】
図１０に示すように、スイッチ４３１，４３２，４３３，４３４の操作部４３１ａ，４３２ａ，４３３ａ，４３４ａは、筐体部４１０に形成された開口を通って、筐体部４１０の外部へ突出している。筐体部４１０の外から操作部４３１ａ，４３２ａ，４３３ａ，４３４ａを指で操作することで、スイッチ４３１，４３２，４３３，４３４を切り替えることができる。
【００４２】
制御ユニット４００は、表示部４５０を有する。表示部４５０には、スイッチ４３１，４３２，４３３，４３４の操作部４３１ａ，４３２ａ，４３３ａ，４３４ａの位置と、当該位置に対応した情報とが表示されている。表示部４５０を設けたことで、スイッチ４３１，４３２，４３３，４３４を操作したときに、どのような機能に切り替わったかを目視により容易に確認することができる。
【００４３】
表示部４５０には、スイッチ４３１の操作部４３１ａの位置に対応した情報として、自火報連動「有」及び「無」と表示されている。操作部４３１ａを自火報連動「有」の位置にすると、スイッチ４３１がオフになり、制御ユニット４００は、前述した第一のモードになる。操作部４３１ａを自火報連動「無」の位置にすると、スイッチ４３１がオンになり、制御ユニット４００は、前述した第二のモードになる。
【００４４】
スイッチ４３２は、センサモジュール４０２の検知感度を切り替えるためのスイッチである。表示部４５０には、スイッチ４３２の操作部４３２ａの位置に対応した情報として、検知感度「８０％」及び「１００％」と表示されている。操作部４３２ａを検知感度「８０％」の位置にすると、制御ユニット４００は、センサモジュール４０２の検知領域を８０％用いて人を検知するモードになる。このモードでは、人を検知できる検知領域が比較的狭くなるが、誤検知を確実に抑制する上では有利になる。操作部４３２ａを検知感度「１００％」の位置にすると、制御ユニット４００は、センサモジュール４０２の検知領域を１００％用いて人を検知するモードになる。このモードでは、人を検知できる検知領域が広くなるという利点がある。
【００４５】
スイッチ４３３は、照明器具１の待機動作を切り替えるためのスイッチである。待機動作とは、センサモジュール４０２が人を検知していないときの照明器具１の動作である。表示部４５０には、スイッチ４３３の操作部４３３ａの位置に対応した情報として、待機動作「１０％」、「３０％」及び「１００％」と表示されている。操作部４３３ａを待機動作「１０％」の位置にすると、センサモジュール４０２が人を検知していないときに、制御ユニット４００は、光源ユニット１００を調光率１０％で点灯させる処理を行う。操作部４３３ａを待機動作「３０％」の位置にすると、センサモジュール４０２が人を検知していないときに、制御ユニット４００は、光源ユニット１００を調光率３０％で点灯させる処理を行う。操作部４３３ａを待機動作「１００％」の位置にすると、センサモジュール４０２が人を検知していないときに、制御ユニット４００は、光源ユニット１００を調光率１００％で点灯させる処理を行う。
【００４６】
スイッチ４３４は、センサモジュール４０２が人を検知している状態から人を検知しない状態に変化した後の点灯時間を切り替えるためのスイッチである。表示部４５０には、スイッチ４３４の操作部４３４ａの位置に対応した情報として、点灯時間「１０秒」、「１分」及び「３分」と表示されている。操作部４３４ａを点灯時間「１０秒」の位置にした場合には、センサモジュール４０２が人を検知している状態から人を検知しない状態に変化した後、１０秒が経過すると、制御ユニット４００は、待機状態に移行する処理を行う。操作部４３４ａを点灯時間「１分」の位置にした場合には、センサモジュール４０２が人を検知している状態から人を検知しない状態に変化した後、１分が経過すると、制御ユニット４００は、待機状態に移行する処理を行う。操作部４３４ａを点灯時間「３分」の位置にした場合には、センサモジュール４０２が人を検知している状態から人を検知しない状態に変化した後、３分が経過すると、制御ユニット４００は、待機状態に移行する処理を行う。
【００４７】
図２に示すように、スイッチ４３１，４３２，４３３，４３４の操作部４３１ａ，４３２ａ，４３３ａ，４３４ａは、凹部連通開口２１１から手を差し入れることで操作できる位置に配置されている。操作部４３１ａ，４３２ａ，４３３ａ，４３４ａ及び表示部４５０は、凹部連通開口２１１と、器具本体３００との間に位置する。作業者は、凹部連通開口２１１から操作部４３１ａ，４３２ａ，４３３ａ，４３４ａ及び表示部４５０を視認できる。
【００４８】
光源ユニット１００を第一ユニット７００から取り外した状態では、スイッチ４３１，４３２，４３３，４３４の操作部４３１ａ，４３２ａ，４３３ａ，４３４ａに手を触れることができるので、スイッチ４３１，４３２，４３３，４３４を操作可能である。本実施の形態であれば、光源ユニット１００を第一ユニット７００から取り外すことによってスイッチ４３１，４３２，４３３，４３４を操作することが可能となる。このため、スイッチ４３１，４３２，４３３，４３４による設定状態を変更する必要が生じた場合に、簡単な作業でスイッチ４３１，４３２，４３３，４３４を切り替えることができる。
【００４９】
図１に示すように、光源ユニット１００が第一ユニット７００に取り付けられた状態では、光源ユニット１００が凹部連通開口２１１を塞ぐ。この状態では、スイッチ４３１，４３２，４３３，４３４の操作部４３１ａ，４３２ａ，４３３ａ，４３４ａに手を触れることができないので、スイッチ４３１，４３２，４３３，４３４を操作することはできない。本実施の形態であれば、光源ユニット１００が第一ユニット７００に取り付けられた状態ではスイッチ４３１，４３２，４３３，４３４を操作することができないので、スイッチ４３１，４３２，４３３，４３４が誤って切り替えられてしまうことを確実に防止できる。
【００５０】
本実施の形態では、照明器具１に正対した作業者にとって左に相当する方向を「左」とし、当該作業者にとって右に相当する方向を「右」とし、左と右とを結ぶ方向を「左右方向」と称する。スイッチ４３１，４３２，４３３，４３４は、それぞれ、操作部４３１ａ，４３２ａ，４３３ａ，４３４ａを左右方向にスライドさせることにより切り替わる。
【００５１】
スイッチ４３２，４３３，４３４は、照明器具１の特定のパラメータを切り替え可能なスイッチに相当する。すなわち、操作部４３２ａをスライドさせると「検知感度」のパラメータを切り替え可能であり、操作部４３３ａをスライドさせると「待機動作」のパラメータを切り替え可能であり、操作部４３４ａをスライドさせると「点灯時間」のパラメータを切り替え可能である。スイッチ４３２，４３３，４３４は、いずれも、操作部４３２ａ，４３３ａ，４３４ａを左から右へ向かってスライドさせると、切り替え対象となるパラメータが大きくなるように構成されている。グラフの横軸は、通常、左から右へ向かってパラメータが大きくなるように記載される。このため、人間にとって、左から右へ向かってパラメータが大きくなることは、感覚的に理解しやすい。
【００５２】
表示部４５０は、取付凹部２１０の奥にある。このため、スイッチ４３２，４３３，４３４を操作するときに、暗くて表示部４５０が見にくい場合がある。本実施の形態であれば、操作部４３２ａ，４３３ａ，４３４ａを左から右へ向かってスライドさせると、切り替え対象となるパラメータが大きくなるように構成されている。それゆえ、操作部４３２ａ，４３３ａ，４３４ａをどちらにスライドさせると、パラメータが大きくなるか小さくなるかを作業者が感覚的に理解しやすい。このため、暗くて表示部４５０が見にくい場合であっても、スイッチ４３２，４３３，４３４を適切に切り替える上で有利になる。
【００５３】
変形例として、上記とは逆に、操作部４３２ａ，４３３ａ，４３４ａを左から右へ向かってスライドさせると、切り替え対象となるパラメータが小さくなるように構成してもよい。そのように、意図的に逆の方向にパラメータを変化させることで、作業者に意識的に操作させるようにしてもよい。
【００５４】
また、操作部を左右方向にスライドさせることにより切り替わるスライドスイッチを制御ユニット４００が備え、当該操作部をスライドさせることにより照明器具１の特定の機能のオンオフを切り替え可能に構成されていてもよい。その場合において、当該操作部を左から右へ向かってスライドさせると当該機能がオフからオンになるようにすることで、暗くて表示部４５０が見にくい場合であっても、当該スライドスイッチを適切に切り替える上で有利になる。変形例として、上記とは逆に、当該操作部を左から右へ向かってスライドさせると当該機能がオンからオフになるように構成してもよい。
【００５５】
操作部４３１ａ，４３２ａ，４３３ａ，４３４ａの色と、表示部４５０のうち操作部４３１ａ，４３２ａ，４３３ａ，４３４ａの位置を示す部分の色とが異なるようにしてもよい。そのようにすることで、操作部４３１ａ，４３２ａ，４３３ａ，４３４ａがどの位置にあるかを作業者がより確実に視認することができる。表示部４５０のうち操作部４３１ａ，４３２ａ，４３３ａ，４３４ａの位置を示す部分とは、照明器具１に正対した作業者から見て、操作部４３１ａ，４３２ａ，４３３ａ，４３４ａと重なりうる部分である。例えば、図１０において、表示部４５０の位置表示部４５１，４５２，４５３は、操作部４３４ａの位置を示す部分である。この場合、位置表示部４５１，４５２，４５３の色を例えば白色とし、操作部４３４ａの色を例えば黒色とする。作業者から見て、位置表示部４５１の白色が操作部４３４ａの黒色によって隠れると、操作部４３４ａが「１０秒」の位置にあることが容易に視認できる。同様にして、位置表示部４５２の白色が操作部４３４ａの黒色によって隠れると操作部４３４ａが「１分」の位置にあることが容易に視認でき、位置表示部４５３の白色が操作部４３４ａの黒色によって隠れると操作部４３４ａが「３分」の位置にあることが容易に視認できる。
【００５６】
複数のスイッチ４３１，４３２，４３３，４３４の各々の操作部４３１ａ，４３２ａ，４３３ａ，４３４ａが、互いに異なる形状または寸法を有するように構成してもよい。例えば、操作部４３１ａ，４３２ａ，４３３ａ，４３４ａが、互いに異なる突出長さを有するように構成してもよい。そのようにすることで、操作部４３１ａ，４３２ａ，４３３ａ，４３４ａ及び表示部４５０が暗くて見にくい場合であっても、手探りで操作部４３１ａ，４３２ａ，４３３ａ，４３４ａを区別することができるので、スイッチ４３１，４３２，４３３，４３４のうち、操作すべきスイッチを容易に見つけることができる。
【００５７】
図１１に示すように、筐体部４１０の背面に貫通する背面貫通穴４４４から、制御基板４０１の一部を視認することができる。このため、制御ユニット４００の組み立て時に、制御基板４０１の取り付けをし忘れることを確実に防止できる。また、背面貫通穴４４４を備えたことで、台座部４４３及びスライド部４４６などを有する第二筐体４１２を、図１１中の矢印Ａ方向に可動する金型で成型することができる。このため、第二筐体４１２の製造が容易になる。
【００５８】
筐体部４１０の背面に、電線保持部４４７と、切欠き部４４８とが形成されている。電線保持部４４７は、電線１６０を収納可能な空間を有する細長い凹部である。図８及び図９に示すように、切欠き部４４８は、筐体部４１０の背面の下部の角部を切り欠いた部分に相当する。切欠き部４４８により形成される空間に信号線１５０を挿通することができる。
【００５９】
図１４は、実施の形態１による照明器具１を、照明器具１の長手方向に垂直な平面で切断した断面図である。図１４の断面図の切断位置は、制御ユニット４００の中央の位置に相当する。図１４に示すように、第一ユニット７００は、取付凹部２１０の内側の空間である第一収納空間７０１と、取付凹部２１０の外側の空間である第二収納空間７０２と有する。光源ユニット１００の一部が第一収納空間７０１に収納されている。光源ユニット１００は、光源部１０１を覆う透光カバー１０４を備える。透光カバー１０４の大部分は、取付凹部２１０の外にある。透光カバー１０４は、化粧部２００に対して、正面側へ向かって突出している。
【００６０】
制御ユニット４００の、突出部４２０以外の部分は、第二収納空間７０２に収納されている。本実施の形態であれば、取付凹部２１０の外側の第二収納空間７０２に制御ユニット４００を配置したことで、取付凹部２１０の内部空間を広くすることができる。このため、光源ユニット１００が備える電気部品などの格納スペースを広げることができる。また、スイッチ４３１，４３２，４３３，４３４を操作するときの作業スペースを広くすることができる。
【００６１】
器具本体３００は、第一面３０１を有する。第一面３０１は、照明器具１の背面に相当する。照明器具１は、建物の壁面または天井面のような取付面に対して第一面３０１が対向するように設置される。
【００６２】
取付凹部２１０は、第一面３０１の反対側にある。すなわち、取付凹部２１０は、照明器具１の正面にある。取付凹部２１０は、第一光源である光源ユニット１００が取り付けられる部分である第一光源取付部に相当する。
【００６３】
板状の傾斜部２１４は、取付凹部２１０に隣接して設けられている。傾斜部２１４は、取付凹部２１０及び光源ユニット１００から離れるにつれて第一面３０１に近づくように傾斜している。制御ユニット４００の筐体部４１０は、傾斜部２１４の内側の第二収納空間７０２に収納されている。突出部４２０は、傾斜部２１４に形成された開口２１２を通って、照明器具１の外部空間へ突出している。本実施の形態であれば、制御ユニット４００の筐体部４１０が化粧部２００の内側に配置され、突出部４２０の周囲が化粧部２００により覆われていることで、照明器具１の外観を良好にする上で有利になる。
【００６４】
突出部４２０は、第一面３０１に対して傾斜したカバー４２１を有する。カバー４２１は、取付凹部２１０及び光源ユニット１００から離れるにつれて第一面３０１に近づくように傾斜している。カバー４２１は、傾斜部２１４と同じ向きに傾斜している。センサモジュール４０２の少なくとも一部は、突出部４２０の内部に位置する。センサモジュール４０２は、カバー４２１の内面に対して空間を介して対向する表面部４０２ａを有する。カバー４２１は、表面部４０２ａを覆っている。センサモジュール４０２の表面部４０２ａから発信された電波は、カバー４２１を透過して、外部空間へ放射される。また、外部空間の物体で電波が反射した反射波は、カバー４２１を透過して、センサモジュール４０２の表面部４０２ａにて受信される。表面部４０２ａは、その全体が傾斜部２１４の面よりも外側にある。これにより、センサモジュール４０２が発信及び受信する電波が、金属製の傾斜部２１４によって遮られることを防止できる。
【００６５】
本実施の形態であれば、化粧部２００に傾斜部２１４を形成したことで、光源ユニット１００から発せられた光が化粧部２００に遮られることを抑制できるので、より広い範囲を照明することが可能となる。
【００６６】
センサモジュール４０２の表面部４０２ａは、取付凹部２１０及び光源ユニット１００から離れるにつれて第一面３０１に近づくように傾斜している。このようにセンサモジュール４０２を斜めに配置することで、センサモジュール４０２による人の検知範囲をより広くすることができる。また、カバー４２１は、センサモジュール４０２の表面部４０２ａに対して平行に位置する。これにより、表面部４０２ａから発信された電波がカバー４２１で反射することをより確実に抑制できるので、センサモジュール４０２による検知性能を向上できる。
【００６７】
本実施の形態では、第一面３０１に対するカバー４２１の傾斜角度（劣角）は、第一面３０１に対する傾斜部２１４の傾斜角度（劣角）よりも大きい。これにより、光源ユニット１００から発せられた光が、カバー４２１の下端部４２２で遮られることがないので、光のロスを抑制できる。なお、第一面３０１に対するカバー４２１の傾斜角度（劣角）が、第一面３０１に対する傾斜部２１４の傾斜角度（劣角）に等しい場合においても、上記と同様の効果が得られる。
【００６８】
制御ユニット４００の鍔部４４０は、開口２１２の周縁部において、傾斜部２１４の内面に接触または近接している。鍔部４４０の面は、傾斜部２１４と平行になるように、第一面３０１に対して傾斜している。
【００６９】
以下の説明では、第一面３０１に対して垂直な方向を「第一方向」と称する。図１４において破線で示す筒状図形９５０は、開口２１２の縁部を第一方向へ平行移動した軌跡からなる仮想の筒状図形に相当する。筒状図形９５０は、四角形の筒状になる。本実施の形態では、筒状図形９５０の内側に突出部４２０の全体が位置する。これにより、以下のような利点がある。図１５は、器具本体３００に対して化粧部２００を取り付ける前の状態を示す断面図である。図１５の断面図の切断位置は、図１４と同じである。制御ユニット４００は、化粧部２００を取り付ける前に、器具本体３００に対して取り付けられている。化粧部２００を取り付けるときには、器具本体３００に対して化粧部２００を正対させた状態で化粧部２００を器具本体３００へ近づけていき、化粧部２００を器具本体３００と合体させる。化粧部２００を器具本体３００と合体させるときには、突出部４２０を開口２１２に挿入する必要がある。本実施の形態であれば、化粧部２００を器具本体３００に対して第一方向へ移動させることによって突出部４２０を開口２１２に挿入することができる。よって、器具本体３００に対して化粧部２００を正対させた状態で化粧部２００を第一方向へ移動させる操作によって、化粧部２００を器具本体３００と合体させることができる。このため、器具本体３００に対して化粧部２００を取り付ける作業がしやすく、当該作業を容易かつ迅速に実施することができる。
【００７０】
さらに、本実施の形態であれば、開口２１２の大きさを、突出部４２０の根元部の大きさとほぼ同じ大きさにすることができる。すなわち、開口２１２の大きさを、鍔部４４０の面の位置における突出部４２０の大きさとほぼ同じ大きさにすることができる。このため、開口２１２と突出部４２０との間の隙間を小さくすることができる。これに対し、化粧部２００を器具本体３００に取り付けるときに化粧部２００を斜めの方向に移動させなければならない構成であると、開口２１２の大きさを、突出部４２０の根元部の大きさよりも十分に大きくする必要がある。そのような構成であると、開口２１２と突出部４２０との間の隙間を小さくすることができない。
【００７１】
鍔部４４０の面は、筐体部４１０と突出部４２０との境界に相当する。図１４に示すように、本実施の形態における突出部４２０は、カバー４２１と鍔部４４０との間を接続する壁部４２３を有する。壁部４２３は、鍔部４４０から第一方向に沿って突出している。壁部４２３は、開口２１２の縁部のうち、第一面３０１との距離が最も近くなる部分に沿って位置する。本実施の形態であれば、このような壁部４２３を設けたことで、筒状図形９５０の内側に突出部４２０の全体が位置するようにしつつ、突出部４２０の内部空間を十分に大きくすることができる。このため、センサモジュール４０２を配置するスペースを広くできる。
【００７２】
以上、実施の形態１について説明したが、本発明は上述した実施の形態に限定されるものではない。例えば、信号送付部は、誘導灯用信号装置９００に代えて、自動火災報知機でもよいし、自動火災報知機と誘導灯用信号装置が連結した構成を有するものでもよい。また、信号送付部から入力される信号は、ＡＣ１００Ｖに限らず、例えば、誘導灯信号装置から送付される減光信号でもよい。
【００７３】
信号受信部は、センサモジュール４０２のような電波式の人感センサに限定されるものではなく、人体から発せられる赤外線を外部空間からの信号として受信する赤外線式の人感センサでもよいし、外部空間の光量を信号として受信する明るさセンサでもよいし、リモコンから発せられた電磁波を外部空間からの信号として受信するリモコン用の受光部でもよい。また、スイッチ４３１，４３２，４３３，４３４については、スライド式の機構を有するスイッチを例に説明したが、これに代えて、例えば、押しボタン式の機構を有するスイッチを用いてもよいし、針またはその他の工具を差し込んで切り替え操作をするような機構を有するスイッチを用いてもよい。また、複数のスイッチ４３１，４３２，４３３，４３４が同じ種類の機構を有するものに統一されていなくてもよく、複数種類の機構が混在していてもよい。
【００７４】
実施の形態２．
次に、図１６から図１８を参照して、実施の形態２について説明するが、前述した実施の形態１との相違点を中心に説明し、同一部分または相当部分については説明を簡略化または省略する。
【００７５】
図１６から図１８は、それぞれ、実施の形態２による照明器具１の一部を示す斜視図である。図１６及び図１７に示すように、本実施の形態の照明器具１における化粧部２００は、蓄電池１４０を収納するための蓄電池収納部１８０を覆う蓋部２３０を備える。図１７に示すように、蓋部２３０は、ヒンジ部２３１を介して、化粧部２００の本体に対して連結されている。ヒンジ部２３１を中心として蓋部２３０を回転させることで、蓋部２３０を開閉することができる。
【００７６】
図１６に示すように、蓋部２３０を閉じた状態にすると、蓄電池収納部１８０の開口が蓋部２３０により塞がれて、蓄電池１４０が外から見えない状態になる。図１７に示すように、蓋部２３０を開いた状態にすると、蓄電池収納部１８０の開口が開放され、蓄電池１４０が外から見える状態になる。
【００７７】
蓋部２３０を開くと、蓄電池１４０を照明器具１から取り外すことができる。図１８は、蓄電池１４０を照明器具１から取り外した状態を示している。本実施の形態であれば、蓋部２３０を開くと蓄電池１４０を取り外すことができるので、蓄電池１４０を点検したり交換したりするときに、化粧部２００を取り外す作業が不要である。このため、蓄電池１４０の点検あるいは交換を容易かつ短時間で行うことが可能となる。
【符号の説明】
【００７８】
１  照明器具、  １００  光源ユニット、  １０１  光源部、  １０２  点灯制御装置、  １０３  直流電源、  １０４  透光カバー、  １１０  化粧部取付台、  １２０  非常用制御ユニット、  １３１  電源端子台、  １３２  信号端子台、  １４０  蓄電池、  １５０  信号線、  １６０  電線、  １７０  電線、  １８０  蓄電池収納部、  ２００  化粧部、  ２１０  取付凹部、  ２１１  凹部連通開口、  ２１２  開口、  ２１３  開口、  ２１４  傾斜部、  ２２１  バネ、  ２２２  引っ掛け部、  ２３０  蓋部、  ２３１  ヒンジ部、  ３００  器具本体、  ３０１  第一面、  ４００  制御ユニット、  ４０１  制御基板、  ４０２  センサモジュール、  ４０２ａ  表面部、  ４０３  信号入力部、  ４０４  マイコン、  ４０５  レギュレータ、  ４０６  ホトカプラ、  ４０７  信号出力端子、  ４０８  電線接続部、  ４０９  信号線、  ４１０  筐体部、  ４１１  第一筐体、  ４１２  第二筐体、  ４２０  突出部、  ４２１  カバー、  ４２２  下端部、  ４２３  壁部、  ４３１，４３２，４３３，４３４  スイッチ、  ４３１ａ，４３２ａ，４３３ａ，４３４ａ  操作部、  ４４０  鍔部、  ４４１  開口、  ４４２  開口、  ４４３  台座部、  ４４４  背面貫通穴、  ４４５  信号線保持部、  ４４６  スライド部、  ４４７  電線保持部、  ４４８  切欠き部、  ４５０  表示部、  ４５１，４５２，４５３  位置表示部、  ５００  非常光源部、  ６００  点検部、  ７００  第一ユニット、  ７０１  第一収納空間、  ７０２  第二収納空間、  ９００  誘導灯用信号装置、  ９１０  電線、  ９２０  自動火災報知設備、  ９５０  筒状図形
【図１】
2019207763.tif 000003
【図２】
2019207763.tif 000004
【図３】
2019207763.tif 000005
【図４】
2019207763.tif 000006
【図５】
2019207763.tif 000007
【図６】
2019207763.tif 000008
【図７】
2019207763.tif 000009
【図８】
2019207763.tif 000010
【図９】
2019207763.tif 000011
【図１０】
2019207763.tif 000012
【図１１】
2019207763.tif 000013
【図１２】
2019207763.tif 000014
【図１３】
2019207763.tif 000015
【図１４】
2019207763.tif 000016
【図１５】
2019207763.tif 000017
【図１６】
2019207763.tif 000018
【図１７】
2019207763.tif 000019
【図１８】
2019207763.tif 000020